【手続補正書】
【提出日】平成26年3月4日(2014.3.4)
【手続補正１】
【補正対象書類名】特許請求の範囲
【補正対象項目名】全文
【補正方法】変更
【補正の内容】
【特許請求の範囲】
【請求項１】
口腔用マウスピースであり、
少なくとも１つの流体パルスを分配するようになされている少なくとも１つの出口ポートを備えている口腔内導管を形成している口腔内部分と、
該口腔内部分と一体に形成されており且つ前記口腔内導管と流体連通状態にある口腔外導管を形成している口腔外部分であって、該口腔外部分は流体供給源に接続可能で、前記口腔内部分と当該口腔外部分とが給送導管を形成するようになされており、各々がユーザーの口角に位置決めされるようになされている一対の第一のループ領域において前記口腔内部分と合わされており、該第一のループの各々から頬の方に隔置されている一対の第二のループ領域を備えている口腔外部分と、
該口腔外部分に結合されており、前記口腔内部分及び前記口腔外部分とは別個に形成されており且つ該口腔内部分及び口腔外部分と異なる材料からなる補助支持器具であって、前記補助支持器具が一対の耳用コネクタを備え、該対の該耳用コネクタの各々が対応する該第二のループ領域に結合されている補助支持器具と、
を備えている口腔用マウスピース。
【請求項２】
前記口腔外部分が、前記一対の第二のループ領域の各々から下方へ延びている一対の顎部分を備えている、ことを特徴とする請求項１に記載の口腔用マウスピース。
【請求項３】
前記対をなしている顎部分同士が互いに合わさって前記流体供給源と流体連通している、ことを特徴とする請求項２に記載の口腔用マウスピース。
【請求項４】
前記対をなしている顎部分同士が調節可能なＹ型コネクタ内で互いに合わさっている、ことを特徴とする請求項２に記載の口腔用マウスピース。
【請求項５】
前記口腔内部分がユーザーの口の中心からユーザーの口の両側部まで延びている、ことを特徴とする請求項１に記載の口腔用マウスピース。
【請求項６】
前記口腔内部分から外方に向かって単一の口腔外部分が延びている、ことを特徴とする請求項５に記載の口腔用マウスピース。
【請求項７】
前記補助支持器具が前記単一の口腔外部分に結合されている、ことを特徴とする請求項５に記載の口腔用マウスピース。
【請求項８】
口腔用マウスピースであり、
少なくとも１つの流体パルスを分配するようになされている少なくとも１つの出口ポートを備えている口腔内導管を形成している口腔内部分と、
該口腔内部分と一体に形成されており且つ前記口腔内導管と流体連通状態にある口腔外導管を形成している口腔外部分であって、該口腔外部分は流体供給源に接続可能で、前記口腔内部分と当該口腔外部分とが給送導管を形成するようになされている口腔外部分と、
該口腔外部分に結合されており、前記口腔内部分及び前記口腔外部分とは別個に形成されており且つ該口腔内部分及び口腔外部分と異なる材料からなる補助支持器具であって、前記補助支持器具が一対の耳用コネクタを備え、該一対の該耳用コネクタの各々が耳ループを備え、各耳用ループが編み上げ材料からなる、ことを特徴とする口腔用マウスピース。
【請求項９】
口腔用マウスピースであり、
少なくとも１つの流体パルスを分配するようになされている少なくとも１つの出口ポートを備えている口腔内導管を形成している口腔内部分と、
該口腔内部分と一体に形成されており且つ前記口腔内導管と流体連通状態にある口腔外導管を形成している口腔外部分であって、該口腔外部分は流体供給源に接続可能で、前記口腔内部分と当該口腔外部分とが給送導管を形成するようになされている口腔外部分と、
該口腔外部分に結合されており、前記口腔内部分及び前記口腔外部分とは別個に形成されており且つ該口腔内部分及び口腔外部分と異なる材料からなる補助支持器具であって、前記口腔外部分の上方に位置決めされ且つ上唇の上方でユーザーの顔と係合するようになされている横断方向に延びている支持部材と、該支持部材の両端に結合され前記口腔外部分から離れている少なくとも１つの固定部材とを備えている、ことを特徴とする口腔用マウスピース。
【請求項１０】
前記少なくとも１つの固定部材がバンドを備えている、ことを特徴とする請求項９に記載の口腔用マウスピース。
【請求項１１】
前記バンドが耳用ループを備えている、ことを特徴とする請求項１０に記載の口腔用マウスピース。
【請求項１２】
口腔用マウスピースであり、
少なくとも１つの流体パルスを分配するようになされている少なくとも１つの出口ポートを備えている口腔内導管を形成している口腔内部分と、
該口腔内部分と一体に形成されており且つ前記口腔内導管と流体連通状態にある口腔外導管を形成している口腔外部分であって、該口腔外部分は流体供給源に接続可能で、前記口腔内部分と当該口腔外部分とが給送導管を形成するようになされいる口腔外部分と、
該口腔外部分に結合されており、前記口腔内部分及び前記口腔外部分とは別個に形成されており且つ該口腔内部分及び口腔外部分と異なる材料からなる補助支持器具であって、Ｙ字管と該Ｙ字管に結合されている少なくとも１つの固定部材とを備えている、ことを特徴とする口腔用マウスピース。
【請求項１３】
前記Ｙ字管が、前記口腔外部分を支持しているＹ字形状のフレームと、該フレームの両側に位置決めされている一対の取り付け部材とを備えており、前記少なくとも１つの固定部材が前記取り付け部材に結合されている、ことを特徴とする請求項１２に記載の口腔用マウスピース。
【請求項１４】
口腔用マウスピースであり、
少なくとも１つの流体パルスを計量分配するようになされている少なくとも１つの出口ポートを備えている口腔内導管を形成している口腔内部分と、
該口腔内部分と一体に形成されており且つ前記口腔内導管と流体連通状態にある口腔外導管を形成している口腔外部分であって、該口腔外部分は流体供給源に接続可能で、前記口腔内部分と当該口腔外部分とが給送導管を形成するようになされている口腔外部分と、
該口腔外部分に結合されており、前記口腔内部分及び前記口腔外部分とは別個に形成されており且つ該口腔内部分及び口腔外部分と異なる材料からなる補助支持器具であって、  ユーザーの顎と係合する形状及び構造とされているＵ字形状のフレームを備えており、該フレームは、ユーザーの顎に係合されるようになされ、両端部が前記口腔外部分に結合されている、ことを特徴とする口腔用マウスピース。
【請求項１５】
前記両端部に結合されている少なくとも１つの固定部材を更に備えており、該少なくとも１つの固定部材がバンドからなる、ことを特徴とする請求項１４に記載の口腔用マウスピース。
【請求項１６】
口腔用マウスピースであり、
各々が少なくとも１つの流体パルスを計量分配するようになされている少なくとも１つの出口ポートを備えている内導管を有する一対の横断方向に隔置されている口腔内部分と、
該口腔内部分の各々と一体に形成されている口腔外部分であって、前記内導管と流体連通している外導管を有し且つ流体供給源に結合して前記口腔内部分と共に給送導管を形成する前記口腔外部分とを備えており、
該口腔外部分は、前記口腔内部分と連通している一対の隔置されている唇湾曲部と、該唇湾曲部から下方へ延びている一対の顎部分とを備えており、該顎部分は、ユーザーの顎の下に位置決めできるループを形成している、ことを特徴とする口腔用マウスピース。
【請求項１７】
前記口腔外部分に結合された補助支持器具を更に備えており、該補助支持器具が、前記口腔内部分及び口腔外部分とは別個に形成されており且つ該口腔内部分及び口腔外部分と異なる材料からなる、ことを特徴とする請求項１６に記載の口腔用マウスピース。
【請求項１８】
前記補助支持器具が耳用ループバンドを備えている、ことを特徴とする請求項１７に記載の口腔用マウスピース。